(57)【要約】【課題】遊技客に対して自身が有利となる景品交換を行えば良いかを把握させると共に、遊技場がシステムを十分に活用できるようにする。【解決手段】現在の交換レートと遊技客が過去に景品交換した平均交換レートとを比較したコメント情報を貸出装置２やＰＯＳ端末６に表示する。遊技客が遊技しているときや遊技客が景品交換しようとするときに、遊技客に対して自身が有利となる景品交換を行えば良いかを把握させることができると共に、遊技場がシステムを十分に活用することができる。【選択図】図１
2008229149.tif 000002
【特許請求の範囲】
【請求項１】
遊技客が獲得した遊技媒体である獲得遊技媒体との交換レートが変動する所定景品についての交換情報を管理する遊技場用管理システムであって、
遊技客が以前に交換した前記所定景品の平均交換レートを特定可能な遊技客交換情報を遊技客毎に管理する管理手段と、
前記所定景品の現在の交換レートを特定する特定手段と、
遊技客を識別する識別情報を取得する取得手段と、
前記取得手段に対応して設けられ、当該取得手段が遊技客の識別情報を取得したときに、前記特定手段が特定した現在の交換レートを特定可能な現在交換情報と当該取得手段が識別情報を取得した遊技客に対して前記管理手段に管理されている遊技客交換情報とを比較可能に表示する表示手段とを備えたことを特徴とする遊技場用管理システム。
【請求項２】
前記管理手段は、遊技客が遊技場に預けた貯蓄遊技媒体数を特定可能な貯蓄情報をも管理し、
前記取得手段は、遊技台に対応して設けられ、
前記表示手段は、対応する前記取得手段が遊技客の識別情報を取得したときに、前記現在交換情報と前記遊技客交換情報あるいは前記貯蓄情報とを比較可能に表示することを特徴とする請求項１記載の遊技場用管理システム。
【請求項３】
遊技台の遊技情報を受信する受信手段と、
前記現在交換情報と前記遊技客交換情報とを比較して現在の交換レートが遊技客にとって有利であるか否かを判定する第１の判定手段とを備え、
前記表示手段は、対応する前記取得手段が遊技客の識別情報を取得し、対応する遊技台における遊技情報が所定条件を満たし且つ前記第１の判定手段が遊技客にとって現在の交換レートが有利であると判定したときに、前記現在交換情報と前記遊技客交換情報あるいは前記貯蓄情報とを比較可能に表示することを特徴とする請求項２記載の遊技場用管理システム。
【請求項４】
前記現在交換情報と前記遊技客交換情報とを比較した結果に基づいた条件毎に前記表示手段が表示するコメント情報を設定する設定手段を備え、
前記取得手段は、遊技台あるいは獲得遊技媒体と景品とを交換する交換処理に関わる交換端末に対応して設けられることが可能に構成され、
前記設定手段は、前記取得手段が遊技台に対応して設けられた場合と前記取得手段が交換端末に対応して設けられた場合とでコメント情報を区別して設定することを特徴とする請求項１ないし３のいずれかに記載の遊技場用管理システム。
【請求項５】
所定景品は、第三者に買取られることが前提であり、その買取価格が変動する景品であって、
現在の買取価格を特定可能な現在買取情報と遊技客から第三者が買取った所定景品の平均買取価格を特定可能な遊技客買取情報あるいは前記遊技客交換情報とを比較して前記現在買取情報が遊技客にとって有利であるか否かを判定する第２の判定手段を備え、
前記表示手段は、前記第２の判定手段が遊技客にとって現在買取情報が有利であると判定したときに、前記現在買取情報と前記遊技客買取情報あるいは前記遊技客交換情報とを比較可能に表示することを特徴とする請求項１ないし４のいずれかに記載の遊技場用管理システム。
【発明の詳細な説明】
【技術分野】
【０００１】
本発明は、遊技客が獲得した遊技媒体である獲得遊技媒体との交換レートが変動する所定景品についての交換情報を管理する遊技場用管理システムに関する。
【背景技術】
【０００２】
従来、パチンコホールなどの遊技場では、遊技客が獲得した遊技媒体である獲得遊技媒体を景品と交換しているが、近年、金地金品などのように価格が相場価格により変動する景品も交換景品として採用されつつある。そして、このような遊技場における景品の交換レートを相場価格と同等にすべく相場価格に連動させて交換レートを変動する景品交換システムが提案されている（例えば特許文献１参照）。
【特許文献１】特開２００６−２７１５８２号公報
【発明の開示】
【発明が解決しようとする課題】
【０００３】
ところで、このように相場価格に連動させて交換レートを変動する景品交換システムでは、遊技客は自身に有利な交換レートとなる頃合を見計らって景品交換を行うべく獲得した遊技媒体を貯蓄（いわゆる貯玉）しておくことが想定されるので、貯玉数が増加し、その結果、来店意欲も高まり、遊技場にとっても利点がある。しかしながら、上記した特許文献１に記載されている景品交換システムでは、交換の目安となるべき指標として現在の交換レートのみしか遊技客に提示することができなかったので、遊技客はどのような基準を持って自身が有利となる景品交換を行えば良いかを把握することができないという問題があった。また、遊技場にとっても遊技客が満足するシステムを十分に活用するには至っていなかった。
【０００４】
本発明は、上記した事情に鑑みてなされたものであり、その目的は、遊技客に対して自身が有利となる景品交換を行えば良いかを把握させることができると共に、遊技場がシステムを十分に活用することができる遊技場用管理システムを提供することにある。
【課題を解決するための手段】
【０００５】
請求項１記載の発明は、遊技客が獲得した遊技媒体である獲得遊技媒体との交換レートが変動する所定景品についての交換情報を管理する遊技場用管理システムであって、遊技客が以前に交換した前記所定景品の平均交換レートを特定可能な遊技客交換情報を遊技客毎に管理する管理手段と、前記所定景品の現在の交換レートを特定する特定手段と、遊技客を識別する識別情報を取得する取得手段と、前記取得手段に対応して設けられ、当該取得手段が遊技客の識別情報を取得したときに、前記特定手段が特定した現在の交換レートを特定可能な現在交換情報と当該取得手段が識別情報を取得した遊技客に対して前記管理手段に管理されている遊技客交換情報とを比較可能に表示する表示手段とを備えて構成したところに特徴を有する。
【０００６】
請求項２記載の発明は、前記管理手段は、遊技客が遊技場に預けた貯蓄遊技媒体数を特定可能な貯蓄情報をも管理し、前記取得手段は、前記遊技台に対応して設けられ、前記表示手段は、対応する前記取得手段が遊技客の識別情報を取得したときに、前記現在交換情報と前記遊技客交換情報あるいは前記貯蓄情報とを比較可能に表示するように構成したところに特徴を有する。
【０００７】
請求項３記載の発明は、遊技台の遊技情報を受信する受信手段と、前記現在交換情報と前記遊技客交換情報とを比較して現在の交換レートが遊技客にとって有利であるか否かを判定する第１の判定手段とを備え、前記表示手段は、対応する前記取得手段が遊技客の識別情報を取得し、対応する遊技台における遊技情報が所定条件を満たし且つ前記第１の判定手段が遊技客にとって現在の交換レートが有利であると判定したときに、前記現在交換情報と前記遊技客交換情報あるいは前記貯蓄情報とを比較可能に表示するように構成したところに特徴を有する。
【０００８】
請求項４記載の発明は、前記現在交換情報と前記遊技客交換情報とを比較した結果に基づいた条件毎に前記表示手段が表示するコメント情報を設定する設定手段を備え、前記取得手段は、遊技台あるいは獲得遊技媒体と景品とを交換する交換処理に関わる交換端末に対応して設けられることが可能に構成され、前記設定手段は、前記取得手段が遊技台に対応して設けられた場合と前記取得手段が交換端末に対応して設けられた場合とでコメント情報を区別して設定するように構成したところに特徴を有する。
【０００９】
請求項５記載の発明は、所定景品は、第三者に買取られることが前提であり、その買取価格が変動する景品であって、現在の買取価格を特定可能な現在買取情報と遊技客から第三者が買取った所定景品の平均買取価格を特定可能な遊技客買取情報あるいは前記遊技客交換情報とを比較して前記現在買取情報が遊技客にとって有利であるか否かを判定する第２の判定手段を備え、前記表示手段は、前記第２の判定手段が遊技客にとって現在買取情報が有利であると判定したときに、前記現在買取情報と前記遊技客買取情報あるいは前記遊技客交換情報とを比較可能に表示するように構成したところに特徴を有する。
【発明の効果】
【００１０】
請求項１記載の発明によれば、管理手段は、遊技客が以前に交換した所定景品の平均交換レートを特定可能な遊技客交換情報を遊技客毎に管理しており、遊技客を識別する識別情報を取得手段が取得すると、表示手段は、特定手段が特定した現在の交換レートを特定可能な現在交換情報と当該取得手段が識別情報を取得した遊技客に対して管理手段に管理されている遊技客交換情報とを比較可能に表示するように構成したので、遊技客は現在の交換レートと自身が以前に交換した所定景品の平均交換レートとを比較することができ、遊技客に対して自身が有利となる景品交換を行えば良いかを把握させることができると共に、遊技場がシステムを十分に活用することができる。
【００１１】
請求項２記載の発明によれば、管理手段は、遊技客が遊技場に預けた貯蓄遊技媒体数を特定可能な貯蓄情報をも管理し、遊技客を識別する識別情報を遊技台に対応して設けられた取得手段が取得すると、表示手段は、現在の交換レートと遊技客が以前に交換した所定景品の平均交換レートあるいは遊技客が遊技場に預けた貯蓄遊技媒体数とを比較可能に表示するように構成したので、遊技客は遊技中であっても現在の交換レートと自身が以前に交換した所定景品の平均交換レートとを比較することができ、また、自身の貯蓄遊技媒体数を認識することにより、どの程度の景品と交換可能であるかを判断することができる。さらに、遊技客は現在の遊技により獲得している獲得遊技媒体数と貯蓄遊技媒体数との合算値により景品と交換可能であるので、獲得目標とする景品数を遊技客自身に決めさせて、その獲得目標とした景品数を得るために必要な獲得遊技媒体を遊技目標として遊技を行わせることで遊技客に遊技を煽ることができ、稼動の増加をも期待することができる。
【００１２】
請求項３記載の発明によれば、遊技客を識別する識別情報を対応する取得手段が取得し、対応する遊技台における遊技情報が所定条件を満たし且つ第１の判定手段が遊技客にとって現在の交換レートが有利であると判定手段が判定すると、表示手段は、現在の交換レートと遊技客が以前に交換した所定景品の平均交換レートあるいは遊技客が遊技場に預けた貯蓄遊技媒体数とを比較可能に表示するように構成したので、遊技情報が所定条件を満たし且つ遊技客にとって現在の交換レートが有利である状況として、遊技客が大当たりを所定期間発生させることができない（いわゆる嵌り状態にある）ときに表示する状況では、嵌り状態にある遊技客を発奮させることができ、一方、遊技客が大勝しているときに表示する状況では、高揚している遊技客を一層煽ることができ、交換レートを効果的なタイミングで表示することができる。
【００１３】
請求項４記載の発明によれば、設定手段は、現在交換情報と遊技客交換情報とを比較した結果に基づいた条件毎に表示手段が表示するコメント情報を設定し、取得手段が遊技台に対応して設けられた場合と交換端末に対応して設けられた場合とでコメント情報を区別して設定するように構成したので、交換レートを表示する状況として遊技中にある遊技客に対して表示する状況と遊技を終了して遊技媒体の貯蓄あるいは景品交換を希望する遊技客に対して表示する状況との２つの状況が想定されるが、前者であれば、遊技中にある遊技客の遊技意欲を掻き立てるようなコメント情報を設定することにより、上記した請求項２に記載したような作用効果を得ることができ、一方、後者であれば、遊技媒体の貯蓄あるいは景品交換を促すようなコメント情報を設定することにより、遊技客の立場に応じた説得力のあるコメントを遊技客に提示することができる。
【００１４】
請求項５記載の発明によれば、現在の買取価格を特定可能な現在買取情報と遊技客から第三者が買取った所定景品の平均買取価格を特定可能な遊技客買取情報あるいは遊技客交換情報とを比較して現在買取情報が遊技客にとって有利であると第２の判定手段が判定すると、表示手段は、現在の買取価格を特定可能な現在買取情報と遊技客から第三者が買取った所定景品の平均買取価格を特定可能な遊技客買取情報あるいは遊技客交換情報とを比較可能に表示するように構成したので、第三者が遊技客から景品を買取る景品買取を行う場合にも、遊技客にとって有利な情報を遊技客に提示することができる。
【発明を実施するための最良の形態】
【００１５】
以下、本発明の一実施形態について、図面を参照しながら説明する。図１は、遊技場用管理システムの全体構成を概略的に示している。図１において、遊技場としてのパチンコホールには、パチンコ台１（本発明でいう遊技台）に対応してアウトボックス（図示せず）及び貸出装置２が設置されており、これらパチンコ台１、アウトボックス及び貸出装置２は中継装置３に接続されている。中継装置３、管理装置４（本発明でいう管理手段、特定手段、受信手段、第１の判定手段、設定手段及び第２の判定手段）、計数装置５及びＰＯＳ端末６（本発明でいう取得手段、表示手段及び交換端末）はＬＡＮ７を介して相互接続されている。
【００１６】
アウトボックスは、遊技台１での遊技に応じて使用した遊技媒体である使用遊技媒体に相当する使用玉（アウト）を特定可能なアウト信号（１０玉毎に１パルス）を送信し、遊技台１は、払出した遊技媒体である払出遊技媒体に相当する払出玉（セーフ）を特定可能なセーフ信号（１０玉毎に１パルス）、図柄変動信号、大当り信号などの遊技状態信号を送信する。また、貸出装置２は、遊技客が貨幣を投入した場合に、その投入された貨幣に対応して貸出した遊技媒体である売上遊技媒体に相当する売上玉を特定可能な売上信号（２５玉、１００円毎に１パルス）を送信する。尚、遊技台１がアウト信号を送信する構成であっても良いし、遊技台１がセーフ信号を送信することに代えて、遊技台１が当該遊技台１に対応して設けられる補給装置から遊技台１に補給された遊技媒体を特定可能な補給信号を送信する構成であっても良い。
【００１７】
管理装置４は、例えば東京工業品取引所などの金市場に設置されている管理装置８にインターネット回線９を介して接続されており、管理装置８から所定期間（例えば１時間毎）に金の取引価格情報を定期的に受信する。そして、管理装置４は、管理装置８から受信した取引価格情報に基づいて、図４（ａ）に示すように、例えば特殊景品Ａ及び特殊景品Ｂについて現在の交換レートを特定する。
【００１８】
具体的には、管理装置４は、管理装置８から受信した取引価格情報から現在の金相場を特定し、その特定した金相場に金含有量を乗じ、手数料を加えて景品価格を特定し、その特定した景品価格を換金率で除し、現在の交換レートを特定する。尚、上記した手順にしたがって現在の交換レートを特定するのに限らず、別の手順にしたがって現在の交換レートを特定しても良い。また、遊技場の従業員が入力操作して現在の交換レートを管理装置４に設定しても良い。そして、管理装置４は、このようにして特定した現在の交換レートを特定可能な現在交換情報をＰＯＳ端末６及び計数装置５に送信する。
【００１９】
計数装置５は、遊技客が遊技して獲得したパチンコ玉の玉数（獲得玉数）を計数する機能を有すると共に、遊技場が発行した会員カードが挿入されるカード挿入口１０を備えて構成されている。会員カードは、パチンコホールの会員として登録した遊技客に対して発行されるものであり、会員となった遊技客は会員カードを使用して各種サービスを受けることができる。会員として登録するためには、所定の申請用紙に氏名、年齢、性別、職業及び住所などの個人情報を記入した上でパチンコホールに提出する必要があり、パチンコホール側は入手した個人情報を会員情報として管理装置４に記憶する。そして、計数装置５は、例えば遊技場の従業員が遊技客から会員カードを受取ってカード挿入口１０に挿入すると、会員カードに記録されている会員ＩＤ（本発明でいう識別情報）と貯玉する獲得玉数とを対応付けて特定可能な貯玉情報を管理装置４に送信する。
【００２０】
ＰＯＳ端末６は、図２に示すように、遊技場の従業員が操作可能なタッチパネル画面を表示可能な表示部１１、遊技場の従業員が操作するキーボード１２、会員カードが挿入されるカード挿入口１３及び背面表示部１４などを備えて構成されている。通常は、遊技場の従業員は、表示部１１に表示される表示画面を目視すると共に、遊技客は、背面表示部１４に表示される表示画面を目視するようになっている。ＰＯＳ端末６は、遊技場の従業員が遊技客から計数装置５が発行したレシートを受取って当該レシートに記録されている獲得玉数を読取らせるかあるいは遊技客が会員カードをカード挿入口１３に挿入すると、遊技客の獲得玉数を特定し、その特定した遊技客の獲得玉数と交換可能な景品とを対応付ける。そして、ＰＯＳ端末６は、交換した景品、その交換した景品に対応付けた獲得玉数、会員カードを受付けている場合には会員ＩＤを特定可能なＰＯＳ交換情報を管理装置４に送信する。また、ＰＯＳ端末６は、交換後の残玉を特定可能な貯玉情報をも管理装置４に送信する。
【００２１】
管理装置４は、図４（ｂ）に示すように、会員ＩＤ、会員氏名、貯玉数（本発明でいう貯蓄情報）、特殊景品Ａ累計交換数、特殊景品Ａ累計交換玉数、特殊景品Ｂ累計交換数、特殊景品Ｂ累計交換玉数及び平均交換レート（本発明でいう遊技客交換情報）を１レコードとする遊技客データベースを保持し、会員カードの発行を受けた遊技客毎の貯玉数、特殊景品Ａに関する累計交換数、特殊景品Ａに関する累計交換玉数、特殊景品Ｂに関する累計交換数、特殊景品Ｂに関する累計交換玉数及び平均交換レートを管理しており、ＰＯＳ端末６からＰＯＳ交換情報を受信すると、その受信したＰＯＳ交換情報に基づいて該当するデータを逐一更新する。ここで、累計交換数とは、対応する遊技客が交換した景品の総数であり、累計交換玉数とは、対応する遊技客が景品交換したときに対価として交換した玉数である。
【００２２】
また、平均交換レートとは、対応する会員が現在までに特殊景品を交換した交換レートの平均であり、例えば特殊景品Ａを基準とすると、（特殊景品Ａ累計交換玉数＋特殊景品Ｂ累計交換玉数）÷（特殊景品Ａ累計交換数＋特殊景品Ｂ累計交換数÷価値倍率）により算出する値である。尚、価値倍率は、基準となる特殊景品との価値を示す倍率であり、本実施形態では「４」、つまり、特殊景品Ｂの４個が特殊景品Ａの１個に相当すると仮定している。尚、平均交換レートは、特殊景品Ｂを基準として算出しても良く、また、特殊景品毎に算出するようにしても良い。また、交換玉数を基準として算出するのではなく、金額を基準として算出しても良いし、さらに、パチンコ玉とは異なる遊技媒体（例えばメダル）をも含めていずれか一方について換金率に基づいてまとめ、交換玉数、交換メダル数あるいは金額を基準として算出しても良い。
【００２３】
また、管理装置４は、上記したように管理装置８から受信した金の取引価格情報に基づいて特定した現在の交換レートと遊技客データベースとして管理している会員の平均交換レート及び全会員の平均交換レートとの高低関係にしたがってコメント情報を設定して記憶している。具体的には、管理装置４は、図５に示すように、現在の交換レートが会員の平均交換レート及び全会員の平均交換レートよりも低い場合、現在の交換レートが全会員の平均交換レートよりは低いが会員の平均交換レートよりも高い場合、現在の交換レートが会員の平均交換レートよりは低いが全会員の平均交換レートよりも高い場合及び現在の交換レートが会員の平均交換レート及び全会員の平均交換レートよりも高い場合の４種類の場合についてコメント情報を設定して記憶している。
【００２４】
貸出装置２は、図３に示すように、対応するパチンコ台１の稼動状態やエラー状態などを表示する状態表示ランプ１５、パチンコ台１の遊技データや種々の情報を表示する表示部１６、遊技場の従業員が携帯する操作リモコンから送信されたリモコン信号を受信する受光部１７、会員カードが挿入されるカード挿入口１８及び会員カードを排出するためのカード排出ボタン１９などを備えて構成されている。この場合、貸出装置２は、遊技客が会員カードをカード挿入口１８に挿入すると、会員カードに記録されている会員ＩＤを特定可能な会員カード受付信号を管理装置４に送信し、続いて、遊技客が表示部１６に表示されるタッチパネル画面を操作してコメント情報の送信を要求すると、コメント送信要求信号を管理装置４に送信する。
【００２５】
管理装置４は、貸出装置２からコメント送信要求信号を受信すると、遊技客データベースを検索し、現在の交換レート、対応する会員の平均交換レート及び全会員の平均交換レートの高低を判定し、その判定結果（条件）に対応するコメント情報を貸出装置２に送信する。そして、貸出装置２は、管理装置４からコメント情報を受信すると、図６に示すように、その受信したコメント情報を表示部１６に表示する。これにより、遊技客は、遊技中に現在の交換レートと遊技客自身が過去に景品交換したときの平均交換レートとを比較することができる。
【００２６】
これと同様にして、ＰＯＳ端末６は、遊技客が会員カードをカード挿入口１３に挿入すると、会員ＩＤを特定可能なコメント送信要求信号を管理装置４に送信し、管理装置４からコメント情報を受信すると、図７に示すように、その受信したコメント情報を背面表示部１４に表示する。尚、上記した構成では、このように管理装置４が記憶しているコメント情報を貸出装置２の表示部１６やＰＯＳ端末６の背面表示部１４に表示したが、現在の交換レート、対応する会員の平均交換レート及び全会員の平均交換レートの数値自体を表示しても良い。また、遊技客データベースで管理している貯玉数をも同時に表示しても良いし、現在の交換レートが遊技客にとって有利な場合に限って表示しても良い。さらに、アウトボックスが送信するアウト信号やパチンコ台１が送信するセーフ信号及び大当り信号などの遊技情報を利用し、遊技客の遊技の状況に応じて、例えば遊技客が大当たりを所定期間発生させることができない（いわゆる嵌り状態にある）ときや、遊技客が大勝しているときに、交換レートが遊技客にとって有利であるコメント情報を表示しても良い。
【００２７】
また、貸出装置２において、遊技客の持玉数（売上玉数＋払出玉数−使用玉数）や、持玉数と貯玉数との合算値を表示するようにしても良い。さらに、持玉数、貯玉数あるいは持玉数と貯玉敢との合算値にて交換可能な景品数やその余り玉を表示するようにしても良い。このように構成すれば、遊技中の遊技客がその時点で交換可能な景品数を把握可能となる。また、遊技客自身が獲得目標とする景品数を特定可能な情報の入力操作を受付け可能に構成し、その目標となる景品数を得るために、あとどれくらいの遊技媒体を獲得すれば良いのかを表示するようにしても良い。
【００２８】
以上に説明したように本実施形態によれば、現在の交換レートと遊技客が過去に景品交換した平均交換レートとを比較したコメント情報を貸出装置２の表示部１６やＰＯＳ端末６の背面表示部１４に表示するように構成したので、遊技客が遊技しているときや遊技客が景品交換しようとするときに、遊技客に対して自身が有利となる景品交換を行えば良いかを把握させることができると共に、遊技場がシステムを十分に活用することができる。
【００２９】
また、遊技客データベースで管理している貯玉数をも表示するように構成すれば、どの程度の景品と交換可能であるかを遊技客が判断することができ、さらに、遊技客は現在の遊技により獲得している獲得遊技媒体数と貯蓄遊技媒体数との合算値により景品と交換可能であるので、獲得目標とする景品数を遊技客自身に決めさせて、その獲得目標とした景品数を得るために必要な獲得遊技媒体を遊技目標として遊技を行わせることで遊技客に遊技を煽ることができ、稼動の増加をも期待することができる。
【００３０】
また、遊技客が大当たりを所定期間発生させることができない（いわゆる嵌り状態にある）ときや、遊技客が大勝しているときに、現在の交換レートが遊技客にとって有利であるコメント情報を表示するように構成すれば、嵌り状態にある遊技客を発奮させたり、高揚している遊技客を一層煽ったりすることができ、交換レートを効果的なタイミングで表示することができる。また、いわゆる嵌り状態にあるときには、遊技客にとって退屈な時間を紛らわす効果をも期待することができる。さらに、コメント情報をＰＯＳ端末６の背面表示部１４に表示する場合には、貯玉あるいは景品交換を促すようなコメント情報を表示することにより、遊技を終了した遊技客の立場に応じた説得力のあるコメントを遊技客に提示することができる。
【００３１】
本発明は、上記した実施形態に限定されることなく、次のように変形または拡張することができる。
現在の交換レートが遊技客にとって不利である場合には、現在の交換レートが遊技客にとって不利であるコメント情報を表示しないようにしても良い。遊技客が遊技を開始した時点では現在の交換レートが遊技客にとって不利であったが遊技している途中で現在の交換レートが遊技客にとって有利となった場合には、その時点で現在の交換レートが遊技客にとって不利であるコメント情報を表示するようにしても良い。
【００３２】
計数装置５がコメント情報を表示するなど他の装置がコメント情報を表示するように構成しても良い。
過去の全ての合計である累計値に基づいて遊技客の平均交換レートを算出する構成に限らず、現在から所定期間（例えば３ケ月）だけ遡った累計値に基づいて遊技客の平均交換レートを算出する構成であっても良い。
【００３３】
遊技客が遊技媒体と景品とを交換する景品交換に適用したが、上記したシステムを想定した場合、第三者が経営する景品の買取所において、第三者が遊技客から景品を買取る景品買取に適用することも可能である。景品の買取所では、景品買取価格を特定し、その景品買取価格を変動させることが想定されるが、景品買取価格が現在の平均交換レートよりも高い場合には遊技客にとって景品の買取り行為が有利となる。すなわち、遊技客は交換した景品を暫く所持して景品価格の高騰を期待するような行動をとると想定される。景品買取価格は、交換レートとも連動して変動するので、平均交換レートと現在の交換レートとが同じになるとき以外の高い確率で景品交換あるいは景品買取のいずれかが遊技客にとって有利となる。つまり、現在の交換レート（景品買取価格）が平均交換レートより高い場合は、現在の交換レートと現在買取価格とを表示し、景品の買取行為を促すように表示すれば、遊技客にとって景品交換が不利であっても、遊技客にとって景品買取が有利であることを把握させることができる。
【００３４】
また、景品の買取所において、会員カードを受付けて買取った景品とそのときの買取価格とを管理装置で管理するように構成すれば、上記した実施形態で説明した平均交換レートと同様に平均買取価格を管理することができる。このとき、現在の買取価格と平均買取価格とを比較した結果に基づいて、遊技客にとって現在の買取価格が平均買取価格よりも有利な場合に、現在の買取価格と平均買取価格とを比較可能に表示するように構成しても良い。
【００３５】
また、遊技客が交換した景品のうち買取られた景品を特定することにより、遊技客が所持する未買取の景品を特定することができるので、その景品の交換レートを特定し、現在の買取価格と比較可能に表示するようにしても良い。この場合、遊技客が所持する特殊景品を特定する方法としては、交換時や換金時に景品識別情報を読取って個々の景品を特定しても良いし、景品数だけを管理し、その景品数分の直近の交換景品の交換玉数を特定して交換レートを特定するようにしても良い。
【図面の簡単な説明】
【００３６】
【図１】本発明の一実施形態を示す全体構成図
【図２】ＰＯＳ端末の正面斜視図（ａ）及び背面斜視図（ｂ）
【図３】貸出装置の斜視図
【図４】特殊景品毎の現在の交換レートを示す図（ａ）及び遊技客データベースの一例を示す図（ｂ）
【図５】条件に対応するコメント情報の一例を示す図
【図６】貸出装置における表示の一例を示す図
【図７】ＰＯＳ端末における表示の一例を示す図
【符号の説明】
【００３７】
図面中、１はパチンコ台（遊技台）、２は貸出装置（取得手段、表示手段）、４は管理装置（管理手段、特定手段、受信手段、第１の判定手段、設定手段、第２の判定手段）、６はＰＯＳ端末（取得手段、表示手段、交換端末）である。
【図１】
2008229149.tif 000003
【図２】
2008229149.tif 000004
【図３】
2008229149.tif 000005
【図４】
2008229149.tif 000006
【図５】
2008229149.tif 000007
【図６】
2008229149.tif 000008
【図７】
2008229149.tif 000009